(57)【要約】【課題】ＳＴＶ信号をゲートとソースの両ドライバで共通化しつつ設計後の液晶パネルのスキャンの制御方向を変更可能とする。【解決手段】表示パネル１と、ソースドライバ４と、ゲートドライバ３と、表示パネルに表示する画像データのフレーム開始位置を示す第１信号をゲートドライバの第１入出力端子又は第２入出力端子から入力する第１端子と第２端子とを有するタイミングコントローラ２と、ソースドライバとタイミングコントローラとに接続され、画像データの表示方向を示す信号ＬＲｂを伝送する信号線６と、を備え、ソースドライバは、信号ＬＲｂに応じて選択された第１端子又は第２端子の何れかから伝送された一方の第１信号を用いて動作する。【選択図】図１
2015004820.tif 000002
【特許請求の範囲】
【請求項１】
表示パネルと、
第１の入力端子と第１の出力端子とを備えると共に該第１の出力端子が前記表示パネルに接続される第１のソースドライバと、
第１の入出力端子と該第１の入出力端子と接続され内部で信号の伝送が可能な第２の入出力端子と第２の出力端子とを備えると共に該第２の出力端子が前記表示パネルに接続される第１のゲートドライバと、
前記表示パネルに表示する画像データのフレーム開始位置を示す第１信号を前記第１の入出力端子へ出力又は前記第１の入出力端子から入力する第１端子と、該第１信号を前記第２の入出力端子から入力又は前記第２の入出力端子へ出力する第２端子とを有するタイミングコントローラと、
前記第１端子に接続され、前記第１の入出力端子と信号の伝送が可能なように配線された第１の信号線と、
前記第２端子に接続され、前記第２の入出力端子と信号の伝送が可能なように配線された第２の信号線と、
前記ソースドライバと前記タイミングコントローラとに接続され、画像データの表示方向を示す第２信号を伝送する第３の信号線と、を備え、
前記第１のソースドライバは、前記第２信号に応じて選択された前記第１端子又は前記第２端子の何れかから伝送された一方の第１信号を用いて動作することを特徴とする表示装置。
【請求項２】
前記第２信号は、画像の表示方向である走査線方向の上下、又は、及び画像データの入力方向であるデータ線方向の左右を示す単数又は複数の信号であることを特徴とする請求項１記載の表示装置。
【請求項３】
前記ソースドライバは、前記第２信号に応じて、前記第１端子又は前記第２端子の何れかから伝送された一方の第１信号を選択する選択部を備えたことを特徴とする請求項１又は請求項２記載の表示装置。
【請求項４】
前記第２信号に応じて、前記第１の信号線又は前記第２の信号線の何れか一方を選択して前記ソースドライバに接続する選択部を備えたことを特徴とする請求項１又は請求項２記載の表示装置。
【請求項５】
前記第２信号に応じて、前記第１の信号線又は前記第２の信号線の何れか一方を選択して、前記ソースドライバに接続された信号線に接続する選択部を備えたことを特徴とする請求項１又は請求項２記載の表示装置。
【請求項６】
第１〜第ｍの１以上ｍ個の前記ソースドライバ、および、前記第１〜第ｎの１以上ｎ個の前記ゲートドライバを備えたことを特徴とする請求項１から請求項５の何れか１項に記載の表示装置。
【請求項７】
前記第１信号は、前記ソースドライバ、及び、前記ゲートドライバに対するオフセットキャンセルの基準を示す信号であることを特徴とする請求項１から請求項６の何れか１項に記載の表示装置。
【請求項８】
タイミングコントローラより出力される画像データ、該画像データのフレームの開始位置を示す第１信号、及び該画像データの表示方向を示す第２信号を受信して動作するソースドライバであって、
前記ソースドライバは、前記タイミングコントローラが有する複数の前記第１信号の出力端子から複数の前記第１信号を受信するとともに、前記第２信号に基づいて、該複数の前記第１信号のうちの一つを選択して内部動作に利用することを特徴とするソースドライバ。
【請求項９】
前記ソースドライバは選択部を備え、
前記選択部は、前記複数の前記第１信号を入力とし、前記第２信号に基づき、一方の前記第１信号を出力することを特徴とする請求項８に記載のソースドライバ。
【請求項１０】
前記第２信号は、画像の表示方向である走査線方向の上下、又は、及び画像データの入力方向であるデータ線方向の左右を示す単数又は複数の信号であることを特徴とする請求項８又は９の何れか１項に記載のソースドライバ。
【発明の詳細な説明】
【技術分野】
【０００１】
本発明は、表示装置およびソースドライバに係り、特に、各ドライバ内部のアンプ素子のオフセットキャンセルをスキャン方向によらずに使用可能とするのに好適な表示装置、及び、ソースドライバに関するものである。
【背景技術】
【０００２】
液晶表示装置における液晶パネルのＴＦＴ（Thin Film Transistor）を駆動するソースドライバおよびゲートドライバ内部にあるアンプ素子のオフセット電圧は、ドライバの特性に影響を及ぼし、パネル表示劣化につながる可能性もある。このオフセット電圧の影響を少なくするため、従来、アンプ素子の入力極性を反転する技術(オフセットキャンセル)が用いられている。
【０００３】
極性を反転する技術には、１ライン毎に反転させるドット反転方式、２ライン毎に反転させる２ライン反転方式、フレーム毎に反転させるフレーム反転方式がある。これらの各方式によるタイムチャートを図１２に示す。
【０００４】
図１２に示すように、ドット反転方式、２ライン反転方式、および、フレーム反転方式のいずれの方式においても、１ライン目の極性はフレーム毎に反転する仕組みになっている。この仕組みを構成するには、各ラインの極性を正にするか負にするかを選択するＰＯＬ信号と、フレームの先頭がどこであるかを通知するストローブ信号（以下、ＳＴＶ信号ともいう）とが必要となる。
【０００５】
特にＳＴＶ信号は、フレームの先頭で処理されない場合、各ラインで期待する極性が得られず、オフセットキャンセルが正常に動作しなくなる。そのため、ＳＴＶ信号の入力タイミングのずれは、表示劣化につながる。
【０００６】
液晶表示装置においては、ゲートドライバでは走査方向（上下スキャン方向）、ソースドライバでは駆動方向（左右スキャン方向）の切り替えを可能とすることが望まれている。
【０００７】
このような走査方向および駆動方向の制御方向を変更しない前提であれば、液晶表示装置の液晶パネルを設計する際に駆動方向を決めることで、それに合わせたゲートドライバおよびソースドライバを設計して対応することも可能である。この場合、ＳＴＶ信号を、ゲートドライバおよびソースドライバで共通化することが可能である。
【０００８】
これに対して、制御方向を変更する場合には、例えば、特許文献１に記載のように、夫々の動作の開始を示すＳＴＶ信号をゲートドライバおよびソースドライバに対して別々に入力する必要がある。
【先行技術文献】
【特許文献】
【０００９】
【特許文献１】特開２００７−２６４３６８号公報
【発明の概要】
【発明が解決しようとする課題】
【００１０】
解決しようとする問題は、従来技術においてＳＴＶ信号をゲートドライバおよびソースドライバで共通化した場合には、以下、図１３〜図１６を用いて説明するように、液晶表示装置におけるゲートドライバでの走査方向（上下スキャン方向）の切り替え、および、ソースドライバでの駆動方向（左右スキャン方向）の切り替えを正常に行うことができない点である。
【００１１】
図１３は、従来の液晶表示装置に設けられた液晶パネルのドライバ駆動制御回路におけるＳＴＶ信号の配線状態を示している。図１３において、７１は液晶パネル、７２はタイミングコントローラ、７３１〜７３ｎはゲートドライバ、７４１〜７４ｍはソースドライバ、７５はＳＴＶ信号を伝送させるＳＴＶ信号用配線、７６は左右のスキャン方向を示すＬＲｂ信号を伝送させるＬＲｂ信号用配線である。
【００１２】
ＳＴＶ信号の配線、各ドライバの配置は、ＳＴＶ信号がフレームの先頭で処理される様に考慮されている。また、スキャン方向に関しては、左右のスキャン方向を選択する信号であるＬＲｂ信号により選択できるようになっている。
【００１３】
なお、ここでは、ゲートドライバ７３１からゲートドライバ７３ｎにスキャンされる方向、および、ソースドライバ７４１からソーストドライバ７４ｍにスキャンされる方向を正スキャン方向(パネル左上始点)とし、この逆を逆スキャン方向(パネル右下始点)としている。
【００１４】
次に、図１３に示すドライバ駆動制御回路の動作について説明する。正スキャン時においては、タイミングコントローラ７２から出力されたＳＴＶ信号は、ゲートドライバ７３１からゲートドライバ７３ｎの順に処理される。また、ゲートドライバ７３１にＳＴＶ信号が入力されると同時に、ソースドライバ７４１〜７４ｍに同様のＳＴＶ信号が入力され処理される。
【００１５】
図１４は、図１３のゲートドライバ７３１に入力されるＳＴＶ信号をＳＴＶｂ、ソースドライバ７４１〜７４ｍに入力されるＳＴＶ信号をＳＴＶｓとした時のタイムチャートを示している。ゲートドライバ、ソースドライバともに、１フレームの先頭でＳＴＶ信号が入力される。これにより、どのドライバにおいても、フレーム毎にオフセットキャンセルが正常に行われることになる。
【００１６】
しかしながら、図１３で述べた構成では、正スキャンと逆スキャンを切り替えて使用することを考慮したパネルの場合、逆スキャン時、ソースドライバにＳＴＶ信号が、フレームの最初で入力されないという問題が生じる。
【００１７】
図１５では、逆スキャン時におけるＳＴＶ信号の流れを示している。図１５において、逆スキャン時には、ＳＴＶ信号はゲートドライバ７３ｎ、ゲートドライバ７３ｎ−１、ゲートドライバ７３１の順に処理され、その後、ソースドライバ７４１〜７４ｍに送られる。
【００１８】
ゲートドライバ７３ｎに入力されるＳＴＶ信号をＳＴＶｄ、ソースドライバ７４１〜７４ｍに入力されるＳＴＶ信号をＳＴＶｓとした時のタイムチャートを図１６に示す。図１６に示すように、ＳＴＶｄとＳＴＶｓの入力タイミングが異なり、ＳＴＶｓは１フレームの最後に入力されることになる。
【００１９】
上述したように、ＳＴＶ信号はフレームの先頭で処理されなくてはならず、図１６に示すように、フレームの最後に処理された場合には、期待される極性が得られず、パネル表示劣化につながる。
【００２０】
このように、ゲートドライバとソースドライバとでＳＴＶ信号用の配線を共通化した場合、液晶表示装置の液晶パネルにおける走査方向および駆動方向の制御方向を変更すると、ＳＴＶ信号がフレームの先頭で処理されずに、フレームの最後に処理されて、期待される極性が得られず、パネル表示劣化につながるが、上記特許文献１等の従来技術では、このような問題に対処することができない。
【００２１】
本発明は、上記問題点を解決するためになされたものであり、ＳＴＶ信号の配線をソースドライバとゲートドライバで共通化しつつ、液晶パネルのスキャンの制御方向をパネル設計後でも変更可能な技術を提供することである。
【課題を解決するための手段】
【００２２】
上記目的を達成するため、本発明の表示装置は、表示パネルと、第１の入力端子と第１の出力端子とを備えると共に該第１の出力端子が前記表示パネルに接続される第１のソースドライバと、第１の入出力端子と該第１の入出力端子と接続され内部で信号の伝送が可能な第２の入出力端子と第２の出力端子とを備えると共に該第２の出力端子が前記表示パネルに接続される第１のゲートドライバと、前記表示パネルに表示する画像データのフレーム開始位置を示す第１信号を前記第１の入出力端子へ出力又は前記第１の入出力端子から入力する第１端子と、該第１信号を前記第２の入出力端子から入力又は前記第２の入出力端子へ出力する第２端子とを有するタイミングコントローラと、前記第１端子に接続され、前記第１の入出力端子と信号の伝送が可能なように配線された第１の信号線と、前記第２端子に接続され、前記第２の入出力端子と信号の伝送が可能なように配線された第２の信号線と、前記ソースドライバと前記タイミングコントローラとに接続され、画像データの表示方向を示す第２信号を伝送する第３の信号線と、を備え、前記第１のソースドライバは、前記第２信号に応じて選択された前記第１端子又は前記第２端子の何れかから伝送された一方の第１信号を用いて動作することを特徴とする。
【００２３】
一方、上記目的を達成するため、本発明のソースドライバは、タイミングコントローラより出力される画像データ、該画像データのフレームの開始位置を示す第１信号、及び該画像データの表示方向を示す第２信号を受信して動作するソースドライバであって、前記ソースドライバは、前記タイミングコントローラが有する複数の前記第１信号の出力端子から複数の前記第１信号を受信するとともに、前記第２信号に基づいて、該複数の前記第１信号のうちの一つを選択して内部動作に利用することを特徴とする。
【００２４】
本発明では、選択部により、ドライバのスキャン方向に応じて、ソースドライバ用のＳＴＶ信号を、第１のゲートドライバと第ｎのドライバの何れか側に接続されたＳＴＶ信号線から選択して入力する構成とし、いずれのスキャン方向でも同じドライバ配置で、オフセットキャンセルを使用可能とする。
【発明の効果】
【００２５】
本発明によれば、ゲートドライバとソースドライバとでＳＴＶ信号の配線を共通化した液晶表示装置において液晶パネルの走査方向および駆動方向の制御方向を変更した場合でも、ＳＴＶ信号がフレームの先頭で処理され、期待される極性が得られ、パネル表示劣化を回避できるので、ＳＴＶ信号をゲートドライバとソースドライバで共通化しつつ、液晶パネルのスキャンの制御方向をパネル設計後でも変更することが可能である。
【図面の簡単な説明】
【００２６】
【図１】本発明に係る表示装置のドライバ駆動制御回路の構成例（第１の実施形態）を示す回路図である。
【図２】図１におけるソースドライバ内部に設けられたセレクタの内部構成例を示す回路図である。
【図３】図１におけるドライバ駆動制御回路の正スキャン時の信号処理内容例を示すタイミングチャートである。
【図４】図１におけるドライバ駆動制御回路の逆スキャン時の信号処理内容例を示すタイミングチャートである。
【図５】本発明に係る表示装置のドライバ駆動制御回路の構成例（第２の実施形態）を示す回路図である。
【図６】本発明に係る表示装置のドライバ駆動制御回路の構成例（第３の実施形態）を示す回路図である。
【図７】本発明に係る表示装置のドライバ駆動制御回路の構成例（第４の実施形態）を示す回路図である。
【図８】図７におけるソースドライバ内部に設けられたセレクタの内部構成例を示す回路図である。
【図９】図７におけるドライバ駆動制御回路の正・逆スキャン時の信号処理内容例を示す説明図である。
【図１０】本発明に係る表示装置のドライバ駆動制御回路の構成例（第５の実施形態）を示す回路図である。
【図１１】本発明に係る表示装置のドライバ駆動制御回路の構成例（第６の実施形態）を示す回路図である。
【図１２】従来の表示装置のドライバ駆動制御回路の信号処理動作例を示すタイミングチャートである。
【図１３】従来の表示装置のドライバ駆動制御回路の構成例（正スキャン時）を示す回路図である。
【図１４】図１３におけるドライバ駆動制御回路の正スキャン時の信号処理内容例を示すタイミングチャートである。
【図１５】従来の表示装置のドライバ駆動制御回路の構成例（逆スキャン時）を示す回路図である。
【図１６】図１５におけるドライバ駆動制御回路の逆スキャン時の信号処理内容例を示すタイミングチャートである。
【発明を実施するための形態】
【００２７】
以下、図を用いて本発明に係る実施の形態（第１の実施の形態）について説明する。図１において、１は液晶パネル、２はタイミングコントローラ、３１〜３ｎはゲートドライバ、４１〜４ｍはソースドライバ、５はＳＴＶ信号用配線、６は本発明に係る方向指示信号線としてのＬＲｂスキャン方向選択信号用配線（左右のデータ転送方向の切替信号用の配線）である。
【００２８】
ゲートドライバ３１〜３ｎ、ソースドライバ４１〜４ｍ、ＳＴＶ信号用配線５、ＬＲｂスキャン方向選択信号用配線６により、本発明に係る表示装置のドライバ駆動制御回路が構成されており、タイミングコントローラ２からの信号に基づいて、ゲートドライバ３１〜３ｎ、ソースドライバ４１〜４ｍに対する駆動制御を行う。
【００２９】
液晶パネル１においては、ＴＦＴおよび画素電極により有効表示域が形成され、各ＴＦＴのゲートがゲートドライバ３１〜３ｎに接続され、ソースがソースドライバ４１〜４ｍに接続されており、スキャンライン（ゲートライン）とデータライン（ソースライン）のマトリクス交差部の画素ごとにスイッチングデバイスを組み込んだ構造となっている。
【００３０】
タイミングコントローラ２は図示していない制御部に含まれ、制御部には、例えば、コンピュータ、テレビジョン装置、ビデオ再生装置、ＤＶＤ再生装置、ナビゲーション本体等の外部機器から送られてきた外部信号が入力される。入力された外部信号に基づいて、制御部は、図示していない信号線を介してゲートドライバ３１〜３ｎおよびソースドライバ４１〜４ｍに表示データと制御信号等を出力して、液晶パネル１に対する駆動制御を行うと共に、タイミングコントローラ２を介して、ＳＴＶ信号用配線５およびＬＲｂスキャン方向選択信号用配線６に制御信号等を出力して、ゲートドライバ３１〜３ｎおよびソースドライバ４１〜４ｍにフレームの先頭を示すＳＴＶ信号と駆動方向（左右スキャン方向）を示すＬＲｂ信号を通知する。
【００３１】
本実施の形態に係る表示装置のドライバ駆動制御回路においても、図１３で示した従来の表示装置のドライバ駆動制御回路と同様、ＳＴＶ信号の配線、および、各ドライバの配置は、ＳＴＶ信号がフレームの先頭で処理される様に考慮されている。また、スキャン方向に関しては、左右のスキャン方向を選択する信号であるＬＲｂ信号により選択できるようになっている。
【００３２】
すなわち、ゲートドライバ３１からゲートドライバ３ｎにスキャンされる方向、および、ソースドライバ４１からソースドライバ４ｍにスキャンされる方向を正スキャン方向(パネル左上始点)とし、この逆を逆スキャン方向(パネル右下始点)としているで、上下のスキャン方向に関しても、左右のスキャン方向を選択する信号であるＬＲｂ信号により選択できるようになっている。
【００３３】
例えば、タイミングコントローラ２からのＬＲｂ信号が「０（ローレベル）」の時には、ゲートドライバ３１〜３ｎおよびソースドライバ４１〜４ｍにおける表示データの転送順序を、液晶パネルの出力端子の１番から大きい方（ｎ，ｍ）への順に（下シフト、右シフト）転送するようにし、ＬＲｂ信号が「１（ハイレベル）」の時には、逆順（上シフト、左シフト）に転送するようにする。
【００３４】
このように、本実施の形態では、ＬＲｂスキャン方向選択信号用配線６を、ＳＴＶ信号がゲートドライバ３１とゲートドライバ３ｎのいずれの側から伝送されるかを示す方向指示信号をソースドライバ４１〜４ｍの各々に並行に伝送させて同時に入力させる方向指示信号線として用いている。
【００３５】
図１に示すドライバ駆動制御回路では、ソースドライバ４１〜４ｍへのＳＴＶ信号用配線が２系列（本発明に係る第１の信号線としての配線ＳＴＶ１／本発明に係る第２の信号線としての配線ＳＴＶ２）設けられ、さらに、ソースドライバ４１〜４ｍの各々には、図２に示すように、スキャン方向に応じて、接続するＳＴＶ信号用配線として配線ＳＴＶ１または配線ＳＴＶ２のいずれか一方を選択するための本発明に係る選択部としてのセレクタ４１１〜４ｍ１が設けられている。
【００３６】
図２に示すように、ソースドライバ４１〜４ｍの各々に設けられたセレクタ４１１〜４ｍ１は、ＮＯＴ回路およびＭＯＳＦＥＴからなるスイッチング素子(図中、「ＳＷ」と記載)等で構成され、スキャン方向を特定するＬＲｂ信号線の出力が「０（ローレベル）」であれば、配線ＳＴＶ１を接続先として選択し、ＬＲｂ信号線の出力が「１（ハイレベル）」であれば、配線ＳＴＶ２を接続先として選択する。
【００３７】
このように、本実施の形態の表示装置のドライバ駆動制御回路の、図１３で示した従来の表示装置のドライバ駆動制御回路からの変更点は、ソースドライバへのＳＴＶ信号を伝送する配線を２系統(ＳＴＶ１/ＳＴＶ２)設け、配線ＳＴＶ１と配線ＳＴＶ２とを、スキャン方向に応じて切り替えられるようソースドライバ内部にセレクタを追加したことである。
【００３８】
そして、本実施の形態では、ゲートドライバ３１からゲートドライバ３ｎにスキャンされる方向、および、ソースドライバ４１からソースドライバ４ｍにスキャンされる方向を正スキャン方向(パネル左上始点)とし、この逆を逆スキャン方向(パネル右下始点)としており、このセレクタを制御する信号として、ＬＲｂ信号を用いている。
【００３９】
このＬＲｂ信号は左右のスキャン方向を決める信号であり、このＬＲｂ信号によりスキャン方向を選択すると同時に、配線ＳＴＶ１と配線ＳＴＶ２を選択できるようにすることで、新たな端子の追加をせずにセレクタ制御が可能となる。
【００４０】
このような構成からなる本実施の形態の表示装置のドライバ駆動制御回路の動作を、図３および図４を用いて説明する。
【００４１】
図３においては、正スキャン時の信号処理動作例を示しており、各ソースドライバ内のセレクタは、配線ＳＴＶ１を選択しており、タイミングコントローラ２から出力されたＳＴＶ信号は、ゲートドライバ３１側からゲートドライバ３ｎ側への順に処理されると共に、ゲートドライバ３１にＳＴＶ信号が入力されると同時に、ソースドライバ４１〜４ｍの各々に同様のＳＴＶ信号が並行に同時に入力され処理される。このようにして、正スキャン時において、ゲートドライバ、ソースドライバともに、１フレームの先頭でＳＴＶ信号が入力される。
【００４２】
図４においては、逆スキャン時の信号処理動作例を示しており、各ソースドライバ内のセレクタは、配線ＳＴＶ２を選択しており、タイミングコントローラ２から出力されたＳＴＶ信号は、ゲートドライバ３ｎ側からゲートドライバ３１側の順に処理されると共に、ゲートドライバ３ｎにＳＴＶ信号が入力されると同時に、ソースドライバ４１〜４ｍの各々に同様のＳＴＶ信号が並行に同時に入力され処理される。このようにして、逆スキャン時においても、ゲートドライバ、ソースドライバともに、１フレームの先頭でＳＴＶ信号が入力される。
【００４３】
このように、本実施の形態の表示装置のドライバ駆動制御回路では、ｍ×ｎのマトリクス配線に各々接続された第１〜第ｍのソースドライバ４１〜４ｍおよび第１〜第ｎのゲートドライバ３１〜３ｎと、第１のゲートドライバ３１側に入力され第ｎのゲートドライバ３ｎ側から出力される第１の順で伝送される、第１〜第ｎのゲートドライバ３１〜３ｎの各々に対して極性反転するフレームの先頭位置を通知するＳＴＶ信号が第１のゲートドライバ３１側に入力される際に、ＳＴＶ信号が第１〜第ｍのソースドライバ４１〜４ｍの各々に同時に入力されるよう配線された第１の信号線としての配線ＳＴＶ１と、第ｎのゲートドライバ３ｎ側に入力され第１のゲートドライバ３１側から出力される第２の順で伝送されるＳＴＶ信号が第ｎのゲートドライバ３ｎ側に入力される際に、ＳＴＶ信号が第１〜第ｍのソースドライバ４１〜４ｍの各々に同時に入力されるよう配線された第２の信号線としての配線ＳＴＶ２と、ＳＴＶ信号が第１の順と第２の順のいずれで伝送されるかを示す方向指示信号としてのＬＲｂ信号が第１〜第ｍのソースドライバ４１〜４ｍの各々に同時に伝送されるよう配線された方向指示信号線としてのＬＲｂスキャン方向選択信号用配線６と、ＬＲｂ信号に基づいて、ＳＴＶ信号が第１の順で伝送される場合は配線ＳＴＶ１が第１〜第ｍのソースドライバ４１〜４ｍの各々に接続されるよう選択し、ＳＴＶ信号が第２の順で伝送される場合は配線ＳＴＶ２が第１〜第ｍのソースドライバ４１〜４ｍの各々に接続されるよう選択する選択部としてのセレクタ４１１〜４ｍ１と、を備え、さらに、セレクタ４１１〜４ｍ１をソースドライバ４１〜４ｍの各々の内部に設けた構成としている。
【００４４】
このような構成により、本実施の形態の表示装置のドライバ駆動制御回路では、正スキャン、および、逆スキャンのいずれにおいても、１フレームの最初に、ＳＴＶ信号がソースドライバで処理されることになる。これにより、どのドライバにおいても、フレーム毎にオフセットキャンセルが正常に行われると共に、表示パネルとソースドライバを実装した後に表示パネルの操作方向を変更することが可能となる。
【００４５】
このように、本実施の形態の表示装置のドライバ駆動制御回路では、ソースドライバに２系統のＳＴＶ信号とセレクタを用意し、ＬＲｂ信号にてどちらのＳＴＶ信号を使うか切り替えるようにしたことにより、新たな端子を追加することなく、逆スキャン時でも１フレームの先頭にＳＴＶ信号を処理することが可能になる。従って、正スキャンと逆スキャンを切り替えて使用するデバイスにおいて、簡易な構成で、オフセットキャンセルを行うことが可能となり、パネル表示劣化を抑制する効果が得られる。
【００４６】
なお、本実施の形態の表示装置のドライバ駆動制御回路においては、ソースドライバ４１〜４ｍへのＳＴＶ信号用の配線ＳＴＶ１，２およびＬＲｂスキャン方向選択信号用配線６の各々は、タイミングコントローラ２と接続された側の反対側が開放されている構成となっているが、これに限るものではない。
【００４７】
次に、図５を用いて本発明に係る他の実施の形態（第２の実施の形態）について説明する。図５においては、図１に示す表示装置のドライバ駆動制御回路において、セレクタをソースドライバの外部に設けた表示装置のドライバ駆動制御回路の構成を示している。すなわち、図５に示す表示装置のドライバ駆動制御回路では、セレクタ５１を、ソースドライバ４’１〜４’ｍと、ゲート用のＳＴＶ配線５の第１のゲートドライバ３１側および第ｎのゲートドライバ３ｎ側との間に設けている。
【００４８】
このような構成においても、図５の表示装置のドライバ駆動制御回路では、セレクタ５１により、ＬＲｂ信号に基づいて、ソースドライバ４’１〜４’ｍの各々に同時に入力するＳＴＶ信号の伝送元として配線ＳＴＶ１，２の何れか一方の配線を選択することができ、新たな端子を追加することなく、逆スキャン時でも１フレームの先頭にＳＴＶ信号を処理することが可能になり、正スキャンと逆スキャンを切り替えて使用するデバイスにおいて、簡易な構成で、オフセットキャンセルを行うことが可能となり、パネル表示劣化を抑制する効果が得られる。
【００４９】
次に、図６を用いて本発明に係る他の実施の形態（第３の実施の形態）について説明する。図６においては、図１に示す表示装置のドライバ駆動制御回路において、セレクタをソースドライバの外部に設け、かつ、ソース用のＳＴＶ配線を１系列としたドライバ駆動制御回路の構成を示している。
【００５０】
図６に示す表示装置のドライバ駆動制御回路では、ＳＴＶ信号を第１〜第ｍのソースドライバ４’１〜４’ｍの各々に同時に伝送させる配線として１つの配線（ＳＴＶ１）のみを備え、かつ、セレクタ６１は、ＬＲｂ信号に基づいて、ＳＴＶ１を、ゲートドライバ用のＳＴＶ配線５の第１のゲートドライバ３１側、または、第ｎのゲートドライバ３ｎ側のいずれか一方に接続する構成としている。
【００５１】
このような構成において、図６の表示装置のドライバ駆動制御回路では、セレクタ６１により、ＬＲｂ信号に基づいて、ソースドライバ４’１〜４’ｍの各々に同時に入力するＳＴＶ信号の伝送元として、ＳＴＶ配線５の第１のゲートドライバ３１側、または、第ｎのゲートドライバ３ｎ側のいずれか一方を選択して接続することができ、新たな端子を追加することなく、逆スキャン時でも１フレームの先頭にＳＴＶ信号を処理することが可能になり、正スキャンと逆スキャンを切り替えて使用するデバイスにおいて、簡易な構成で、オフセットキャンセルを行うことが可能となり、パネル表示劣化を抑制する効果が得られる。
【００５２】
次に、図７を用いて本発明に係る他の実施の形態（第４の実施の形態）について説明する。図７においては、セレクタによる、ソースドライバ４１〜４ｍの各々に同時に入力するＳＴＶ信号の伝送元の選択を、左右方向へのスキャン方向を切り替えるためのＬＲｂ信号と共に、上下方向へのスキャン方向を切り替えるためのＵＤｂ信号を用いて行う表示装置のドライバ駆動制御回路の構成を示している。
【００５３】
図７において、４１は液晶パネル、４２はタイミングコントローラ、４３１〜４３ｎはゲートドライバ、４４１〜４４ｍはソースドライバ、４５はＳＴＶ信号用配線、４６は本発明に係る第１の方向指示信号線としてのＬＲｂスキャン方向選択信号用配線（左右のデータ転送方向の切替信号用の配線、以下ＬＲｂともいう）、４６’は本発明に係る第２の方向指示信号線としてのＵＤｂスキャン方向選択信号用配線（上下のデータ転送方向の切替信号用の配線、以下ＵＤｂともいう）である。
【００５４】
ゲートドライバ４３１〜４３ｎ、ソースドライバ４４１〜４４ｍ、ＳＴＶ信号用配線４５、ＬＲｂ４６により、本発明に係る表示装置のドライバ駆動制御回路が構成されており、タイミングコントローラ４２からの信号に基づいて、ゲートドライバ４３１〜４３ｎ、ソースドライバ４４１〜４４ｍに対する駆動制御を行う。
【００５５】
液晶パネル４１は、図１における液晶パネル１と同じものであり、タイミングコントローラ４２を含む制御部からの信号に基づいて、ゲートドライバ４３１〜４３ｎ、ソースドライバ４４１〜４４ｍに対する駆動制御、および、液晶パネル４１に対する表示制御を行う動作も図１における液晶パネル１に対するものと同様であり、その詳細な説明はここでは行わない。
【００５６】
本図７に示す表示装置のドライバ駆動制御回路においても、図１における表示装置のドライバ駆動制御回路と同様に、図１３で示した従来の表示装置のドライバ駆動制御回路と同様、ＳＴＶ信号の配線、および、各ドライバの配置は、ＳＴＶ信号がフレームの先頭で処理される様に考慮されている。また、スキャン方向に関しては、左右のスキャン方向を選択する信号であるＬＲｂ信号により選択できるようになっている。
【００５７】
例えば、ＬＲｂ信号が「０（ローレベル）」の時には、タイミングコントローラ４２からは、表示データの転送順序を、液晶パネルの出力端子の１番から大きい方への順に（右シフト）転送するようにし（右方向スキャン）、ＬＲｂ信号が「１（ハイレベル）」の時には、逆順（左シフト）に転送するようにする（左方向スキャン）。
【００５８】
さらに、本実施の形態に係る表示装置のドライバ駆動制御回路においては、上下のスキャン方向に関して、ＵＤｂ信号により選択できるようになっている。
【００５９】
例えば、ＵＤｂ信号が「０（ローレベル）」の時には、タイミングコントローラ４２からは、表示データの転送順序を、液晶パネルの出力端子の１番から大きい方への順に（下シフト）転送するようにし（下方向スキャン）、ＵＤｂ信号が「１（ハイレベル）」の時には、逆順（上シフト）に転送するようにする（上方向スキャン）。
【００６０】
本図７に示す表示装置のドライバ駆動制御回路では、ソースドライバ４４１〜４４ｍへのＳＴＶ信号用配線が２系列（ＳＴＶ１／ＳＴＶ２）設けられ、さらに、ソースドライバ４４１〜４４ｍの各々には、スキャン方向に応じて、接続するＳＴＶ信号用配線として配線ＳＴＶ１または配線ＳＴＶ２のいずれか一方を選択するための本発明に係る選択部としての図８に示すセレクタ４４１１〜４４ｍ１が設けられている。
【００６１】
図８に示すように、セレクタ４４１１〜４４ｍ１は、ＮＯＴ回路およびＭＯＳＦＥＴ等からなる論理回路等で構成され、図９の真理値表９１に示されるＬＲｂ信号とＵＤｂ信号の各々の信号レベル状態の組み合わせに応じて、ＳＴＶ信号の入力元として配線ＳＴＶ１と配線ＳＴＶ２のいずれか一方を選択する。
【００６２】
ここでは、ＬＲｂ信号が「０（ローレベル）」の時、左から右方向へスキャンし、ＬＲｂ信号が「１（ハイレベル）」では右から左方向へスキャンしていくとし、ＵＤｂ信号が「０（ローレベル）」で配線ＳＴＶ１を、ＵＤｂ信号が「１（ハイレベル）」で配線ＳＴＶ２を選択すると定義している。
【００６３】
具体的には、図９に示されるように、スキャン始点が左上の場合にはＬＲｂ信号線およびＵＤｂ信号線の出力が共に「０（ローレベル）」であり、この場合、セレクタ４４１１〜４４ｍ１は、ＳＴＶ信号の入力元として配線ＳＴＶ１を選択し、スキャン始点が左下の場合にはＬＲｂ信号線およびＵＤｂ信号線の出力が各々「０（ローレベル）」と「１（ハイレベル）」であり、この場合、セレクタ４４１１〜４４ｍ１は、ＳＴＶ信号の入力元として配線ＳＴＶ２を選択する。
【００６４】
また、スキャン始点が右上の場合にはＬＲｂ信号線およびＵＤｂ信号線の出力が各々「１（ハイレベル）」と「０（ローレベル）」であり、この場合、セレクタ４４１１〜４４ｍ１は、ＳＴＶ信号の入力元として配線ＳＴＶ１を選択し、スキャン始点が右下の場合にはＬＲｂ信号線およびＵＤｂ信号線の出力が共に「１（ハイレベル）」であり、この場合、セレクタ４４１１〜４４ｍ１は、ＳＴＶ信号の入力元として配線ＳＴＶ２を選択する。
【００６５】
このように、本実施の形態の表示装置のドライバ駆動制御回路の、図１３で示した従来の表示装置のドライバ駆動制御回路からの変更点は、ソースドライバへのＳＴＶ信号を伝送する配線を２系統(ＳＴＶ１/ＳＴＶ２)設け、配線ＳＴＶ１と配線ＳＴＶ２とを、スキャン方向に応じて切り替えられるようソースドライバ内部にセレクタを追加したことである。
【００６６】
そして、このセレクタを制御する信号には、ＬＲｂ信号とＵＤｂ信号を用いている。このＬＲｂ信号は、左右のスキャン方向を決める信号であり、ＵＤｂ信号は、上下のスキャン方向を決める信号であり、このＬＲｂ信号とＵＤｂ信号との組み合わせによりスキャン方向を選択すると同時に、配線ＳＴＶ１と配線ＳＴＶ２を選択できるようにすることで、新たな端子の追加をせずにセレクタ制御を可能としている。
【００６７】
このような構成からなる本実施の形態の表示装置のドライバ駆動制御回路の動作は、上述の図４および図７を用いて説明したものと同様になり、スキャン始点がいずれの場合であっても、ゲートドライバ、ソースドライバともに、１フレームの先頭でＳＴＶ信号が入力される。
【００６８】
このように、図７に示す本実施の形態の表示装置では、ｍ×ｎのマトリクス配線に各々接続された第１〜第ｍのソースドライバ４４１〜４４ｍおよび第１〜第ｎのゲートドライバ４３１〜４３ｎと、第１のゲートドライバ４３１側に入力され第ｎのゲートドライバ４３ｎ側から出力される第１の順で伝送される、第１〜第ｎのゲートドライバ４３１〜４３ｎの各々に対して極性反転するフレームの先頭位置を通知するＳＴＶ信号が第１のゲートドライバ４３１側に入力される際に、ＳＴＶ信号が第１〜第ｍのソースドライバ４４１〜４４ｍの各々に同時に入力されるよう配線された第１の信号線としての配線ＳＴＶ１と、第ｎのゲートドライバ４３ｎ側に入力され第１のゲートドライバ４３１側から出力される第２の順で伝送されるＳＴＶ信号が第ｎのゲートドライバ４３ｎ側に入力される際に、ＳＴＶ信号が第１〜第ｍのソースドライバ４４１〜４４ｍの各々に同時に入力されるよう配線された第２の信号線としての配線ＳＴＶ２と、第１〜第ｍのソースドライバ４４１〜４４ｍの各々に対して第１〜第ｍのソースドライバ４４１〜４４ｍの駆動方向を通知する第１の方向指示信号としてのＬＲｂ信号が第１〜第ｍのソースドライバ４４１〜４４ｍの各々に同時に伝送されるよう配線された第１の方向指示信号線としてのＬＲｂスキャン方向選択信号用配線４６と、第１〜第ｍのソースドライバ４４１〜４４ｍの各々に対して第１〜第ｎのゲートドライバ４３１〜４３ｎの制御方向を通知する第２の方向指示信号としてのＵＤｂ信号が第１〜第ｍのソースドライバ４４１〜４４ｍの各々に同時に伝送されるよう配線された第２の方向指示信号線としてのＵＤｂスキャン方向選択信号用配線４６’と、ＬＲｂ信号とＵＤｂ信号の組み合せに基づいて、ＳＴＶ信号が第１の順で伝送される場合は配線ＳＴＶ１を選択して第１〜第ｍのソースドライバ４４１〜４４ｍの各々に接続し、ＳＴＶ信号が第２の順で伝送される場合は配線ＳＴＶ２を選択して第１〜第ｍのソースドライバ４４１〜４４ｍの各々に接続する選択部としてのセレクタ４４１１〜４４ｍ１と、を備えており、また、セレクタ４４１１〜４４ｍ１を、ソースドライバ４４１〜４４ｍの各々の内部に設けた構成となっている。
【００６９】
このような構成により、図７に示す本実施の形態の表示装置では、液晶パネル４１のスキャン方向として、左上スキャン始点と右下スキャン始点だけでなく、右上スキャン始点と左下スキャン始点とするものであっても、これら全方向へのスキャンが可能となる。
【００７０】
すなわち、スキャン始点が左上の時(ＬＲｂ＝Ｌｏｗ、ＵＤｂ＝Ｌｏｗ)、ＳＴＶ信号はゲートドライバ４３１から処理される。この時、ソースドライバ４４１〜４４ｍでは配線ＳＴＶ１からのＳＴＶ信号が選択され処理される。また、スキャン始点が左下の時(ＬＲｂ＝Ｌｏｗ、ＵＤｂ＝Ｈｉｇｈ)、ＳＴＶ信号はゲートドライバ４３ｎから処理される。その時、ソースドライバ４４１〜４４ｍでは配線ＳＴＶ２からのＳＴＶ信号が選択され処理される。
【００７１】
従って、左上スキャン始点でも左下スキャン始点でも、１フレームの先頭にてＳＴＶ信号が処理されることになる。左上スキャン始点動作と左下スキャン始点動作の異なる点は、スキャン方向が上方向か下方向かである。図１で示す表示装置のドライバ駆動制御回路では、ＬＲｂ信号が、配線ＳＴＶ１と配線ＳＴＶ２のセレクタ信号としての役割を担っていたため、２つの始点(左上始点と右下始点)のみにしか対応できなかった。これに対して、図７に示す表示装置のドライバ駆動制御回路では、ＵＤｂ信号という別の信号も用いることにより、上下方向のスキャン選択も可能となり、どのスキャン方向においても、ソースドライバでＳＴＶ信号がフレームの先頭にて処理される。
【００７２】
このように、図７に示す表示装置のドライバ駆動制御回路では、配線ＳＴＶ１，２を選択するセレクタ信号としてＬＲｂ信号と共にＵＤｂ信号を用いたことにより、スキャン方向に依存せず、図１に示す表示装置のドライバ駆動制御回路と同等の効果が得られる。従って、どのスキャン方向においても、オフセットキャンセルが使用可能となり、特に、スキャン方向を各方向へ切り替えながら使用するデバイスでは有効な効果が得られる。
【００７３】
次に、図１０を用いて本発明に係る他の実施の形態（第５の実施の形態）について説明する。図１０においては、図７においてソースドライバ内に設けていたセレクタをソースドライバの外部に設けた表示装置のドライバ駆動制御回路の構成を示している。すなわち、図１０に示す表示装置のドライバ駆動制御回路では、セレクタ１０１を、ソースドライバ４４１〜４４ｍと、ゲート用のＳＴＶ配線４５の第１のゲートドライバ４３１側および第ｎのゲートドライバ４３ｎ側との間に設けている。
【００７４】
このような構成においても、図１０の表示装置のドライバ駆動制御回路では、セレクタ１０１により、ＬＲｂ信号とＵＤｂ信号とに基づいて、ソースドライバ４４１〜４４ｍの各々に同時に入力するＳＴＶ信号の伝送元として配線ＳＴＶ１，２の何れか一方を選択することができ、新たな端子を追加することなく、全ての方向のスキャン時においても１フレームの先頭にＳＴＶ信号を処理することが可能になり、各スキャン方向を切り替えて使用するデバイスにおいて、簡易な構成で、オフセットキャンセルを行うことが可能となり、パネル表示劣化を抑制する効果が得られる。
【００７５】
次に、図１１を用いて本発明に係る他の実施の形態（第６の実施の形態）について説明する。図１１においては、セレクタをソースドライバの外部に設け、かつ、ソース用のＳＴＶ配線を１系列とした表示装置のドライバ駆動制御回路の構成を示している。
【００７６】
すなわち、図１１に示す表示装置のドライバ駆動制御回路では、ＳＴＶ信号を第１〜第ｍのソースドライバ４４１〜４４ｍの各々に同時に伝送させる配線として１つの配線（ＳＴＶ１）のみを備え、かつ、セレクタ１１１は、ＬＲｂ信号とＵＤｂ信号とに基づいて、配線ＳＴＶ１を、ゲートドライバ用のＳＴＶ配線５の第１のゲートドライバ４３１側、または、第ｎのゲートドライバ４３ｎ側のいずれか一方に接続する構成としている。
【００７７】
このような構成において、図１１の表示装置のドライバ駆動制御回路では、セレクタ１１１により、ＬＲｂ信号とＵＤｂ信号とに基づいて、ソースドライバ４４１〜４４ｍの各々に同時に入力するＳＴＶ信号の伝送元として、ＳＴＶ配線５の第１のゲートドライバ４３１側、または、第ｎのゲートドライバ４３ｎ側のいずれか一方を選択して接続することができ、新たな端子を追加することなく、全ての方向のスキャン時においても１フレームの先頭にＳＴＶ信号を処理することが可能になり、各スキャン方向を切り替えて使用するデバイスにおいて、簡易な構成で、オフセットキャンセルを行うことが可能となり、パネル表示劣化を抑制する効果が得られる。
【００７８】
以上、各図を用いて説明したように、本実施の形態の表示装置のドライバ駆動制御回路では、セレクタを備え、このセレクタにより、スキャン方向に応じて、ソースドライバ用のＳＴＶ信号を、第１のゲートドライバ側と第ｎのドライバ側の何れかに接続されたＳＴＶ信号線から選択して入力する構成としている。このセレクタを制御する信号として、例えば、左上スキャン始点を正スキャン、右下スキャン始点を逆スキャンとした場合に左方向へのスキャンか右方向へのスキャンかを切り替えるために用いられているＬＲｂ信号を兼用することにより、正スキャンと逆スキャンのどちらでも同じドライバ配置で、オフセットキャンセルを使用可能である。また、セレクタを制御する信号として、上下のスキャン方向に対応して、配線ＳＴＶ１と配線ＳＴＶ２を選択する制御信号（ＵＤｂ）を新たに追加することで、ドライバ配置を変更することなく、全スキャン方向でオフセットキャンセルを使用可能である。
【００７９】
なお、本発明は、各図を用いて説明した実施の形態例に限定されるものではなく、その要旨を逸脱しない範囲において種々変更可能である。例えば、図９で示した、スキャン始点とＳＴＶ信号との関係に関しては、１フレーム目の先頭にてＳＴＶ信号が処理されるよう論理が組まれていれば、ＬＲｂ信号とＵＤｂ信号の論理(Ｌｏｗ・ローとＨｉｇｈ・ハイ)が逆であっても特に問題は無い。
【符号の説明】
【００８０】
１，４１  液晶パネル
２，４２  タイミングコントローラ
３１〜３ｎ，４３１〜４３ｎ  ゲートドライバ
４１〜４ｍ，４４１〜４４ｍ  ソースドライバ（セレクタ付）
４’１〜４’ｍ，４４’１〜４４’ｍ  ソースドライバ（セレクタ無）
４１１〜４ｍ１，４４１１〜４４ｍ１，５１，６１，１０１，１１１  セレクタ（選択部）
５，４５  ＳＴＶ配線
６，４６  ＬＲｂスキャン方向選択信号用配線
４６’  ＵＤｂスキャン方向選択信号用配線
９１  真理値表
ＳＴＶ１，２  配線
【図１】
2015004820.tif 000003
【図２】
2015004820.tif 000004
【図３】
2015004820.tif 000005
【図４】
2015004820.tif 000006
【図５】
2015004820.tif 000007
【図６】
2015004820.tif 000008
【図７】
2015004820.tif 000009
【図８】
2015004820.tif 000010
【図９】
2015004820.tif 000011
【図１０】
2015004820.tif 000012
【図１１】
2015004820.tif 000013
【図１２】
2015004820.tif 000014
【図１３】
2015004820.tif 000015
【図１４】
2015004820.tif 000016
【図１５】
2015004820.tif 000017
【図１６】
2015004820.tif 000018